(57)【要約】【課題】遠距離操作のいびきストッパー健康枕の構造を提供する。【解決手段】  主に枕、有線コントローラーと無線コントローラーで構成する遠距離操作のいびきストッパー健康枕の構造である。枕に本体を具有し、本体内に気嚢を設置する。該有線コントローラーは無線受信機及び無線受信機と接続する高低コントローラー及び制御バルブを設置し、制御バルブは空気ポンプ及び音声センサーを接続し、高低コントローラーは該制御バルブに接続し、制御バルブは空気進出パイプにより枕の気嚢と接続する。該無線コントローラーに設置するのは、無線送信機及び無線送信機と接続する高低調整信号発生器、感度調整信号発生器及びいびきストッパー機能信号発生器である。無線制御方法を用いて健康枕を操作し、及び音声センサーの感度を調節することで、異なるユーザーが使用するのに適し、ユーザーが操作制御するのが便利である。【選択図】  図１
0003202279.tif 000002
【実用新案登録請求の範囲】
【請求項１】
枕、有線コントローラーと無線コントローラーを含み、
該枕に本体を具有し、本体内に気嚢を設置し、
該有線コントローラーは無線受信機及び無線受信機と接続する枕用の高低コントローラー及び制御バルブを設置し、該制御バルブは空気ポンプ及び音声センサーを接続し、音声センサーはいびきストッパー機能コントローラーを接続し、高低コントローラーは該制御バルブに接続し、制御バルブは空気進出パイプにより枕の気嚢と接続し、
該無線コントローラーに設置するのは、無線送信機及び無線送信機と接続する高低調整信号発生器、及びいびきストッパー機能信号発生器であることを特徴とする遠距離操作のいびきストッパー健康枕の構造。
【請求項２】
前記有線コントローラーの無線受信機と、無線コントローラーの無線送信機は、ブルートゥースの無線伝送インターフェースを持って制御信号を伝送することを特徴とする請求項１記載の遠距離操作のいびきストッパー健康枕の構造。
【請求項３】
前記有線コントローラーの無線受信機と無線コントローラーの無線送信機は、無線ローカルインターネットインターフェースを持って制御信号を伝送することを特徴とする請求項１記載の遠距離操作のいびきストッパー健康枕の構造。
【請求項４】
前記無線コントローラーはスマート型携帯通信装置であり、高低調整信号発生器及びいびきストッパー機能信号発生器は、応用プログラムで制御することを特徴とする請求項１記載の遠距離操作のいびきストッパー健康枕の構造。
【請求項５】
前記有線コントローラーの音声センサーは感度調整器を接続し、該無線送信機は感度調整信号発生器を接続し、且つ感度調整信号発生器は応用プログラムで制御することを特徴とする請求項４記載の遠距離操作のいびきストッパー健康枕の構造。
【考案の詳細な説明】
【技術分野】
【０００１】
本考案は遠距離操作のいびきストッパー保健枕の構造に関し、特に無線制御方法を利用して枕の高さをコントロールし、及びいびきストッパー機能を起動する健康枕の構造に関する。
【背景技術】
【０００２】
いびきは一般的に見られる睡眠現象であり、健康の大敵でもあるため、本考案の考案者は「頚椎調整防止いびき記憶枕」を案出し、実用新案Ｍ４６１３８６号を申請した。
【０００３】
しかし、考案者が引き続き研究した結果、前記の「頚椎調整いびきストッパー記憶枕」には尚も下記の改善すべき問題があると発見した。
【０００４】
１、いびきストッパー機能は制御ボックスしか使用できないため、ユーザーは枕元でしか操作をすることができない。もし枕を使うユーザーがいびきストッパー機能を付け忘れた場合、他の人もユーザーのところまで行き、いびき機能のスイッチを入れる必要があるため、比較的不便である。
【０００５】
２、音声収集器の感度は調整できない。しかし、異なるユーザーのいびきの音量の大きさは異なるため、音声収集器の感度を仮に高く設定すると、いびき機能は、環境の音を拾って起動することがあるため、更なる改善が必要であった。
【先行技術文献】
【特許文献】
【０００６】
【特許文献１】特開２００６−２６０２５号公報
【考案の概要】
【考案が解決しようとする課題】
【０００７】
前記公知構造の欠点を解決するため、本考案の主な目的は、無線制御方法を使って健康枕を操作し、ユーザーが便利に使用できる。また、有線コントローラーを枕を使用するユーザーに近づける必要がないため、電磁波の影響を少なくし、且つ枕のユーザーの睡眠を邪魔するのを避けることができる。更に本考案は医療での使用に適している遠距離操作のいびきストッパー健康枕の構造を提供することにある。
【０００８】
本考案の第２の目的は、音感知器の感度を調整することができ、異なるユーザーの使用に適している遠距離操作のいびきストッパー健康枕の構造を提供することにある。
【課題を解決するための手段】
【０００９】
上述の目的を解決するために、本考案は遠距離操作のいびきストッパー健康枕の構造を提供するものである。本考案に枕、有線コントローラーと無線コントローラーを設置し、該枕に本体を具有し、本体内に気嚢を設置する。該有線コントローラーは無線受信機及び無線受信機と接続する高低コントローラー及び制御バルブを設置する。制御バルブは空気ポンプ及び音声センサーを接続し、音声センサーはいびきストッパー機能コントローラーを接続する。高低コントローラーは該制御バルブに接続し、制御バルブは空気進出パイプにより枕の気嚢と接続する。該無線コントローラーに設置するのは、無線送信機及び無線送信機と接続する高低調整信号発生器及びいびきストッパー機能信号発生器である。
【００１０】
前記の遠距離操作いびきストッパー健康枕にある該有線コントローラーの無線受信機と、無線コントローラーの無線送信機は、ブルートゥースの無線伝送インターフェース或いは無線ローカルインターネットインターフェースを通じて、制御信号を伝送する。
【００１１】
前記の遠距離操作のいびきストッパー健康枕にある該無線コントローラーはスマート型携帯通信装置であり、高低調整信号発生器及びいびきストッパー機能信号発生器は、応用プログラムで制御する。
【００１２】
前記の遠距離操作のいびきストッパー健康枕にある該有線コントローラーの音声センサーは感度調整器を接続し、該無線送信機は感度調整信号発生器を接続する。且つ感度調整信号発生器は応用プログラムで制御する。
【考案の効果】
【００１３】
本考案は無線制御方法を用いて健康枕を操作し、及び音声センサーの感度を調整できることにより、様々なユーザーが使用するのに適する。枕のユーザーがいびきをかき始めた際に、無線コントローラーのユーザーは遠距離で操作することができ、枕のユーザーの睡眠を妨げることがない。
【図面の簡単な説明】
【００１４】
【図１】本考案のブロック図である。
【図２】本考案の枕と有線コントローラーの外観図である。
【図３】本考案の無線コントローラーの外観図である。
【考案を実施するための形態】
【００１５】
以下、本考案の構造と特徴および効果を、最良実施例と図面を参照しながら詳細に説明する。
【実施例】
【００１６】
図１から図３ではっきり分かるように、本考案に枕１、有線コントローラー２と無線コントローラー３を設置している。その中、該枕１に本体１１を具有し、本体１１内に気嚢１２を設置する。
【００１７】
該有線コントローラー２は無線受信機２１及び無線受信機２１と接続する枕用の高低コントローラー２２及び制御バルブ２３を設置する。制御バルブ２３は空気ポンプ２４及び音声センサー２５を接続し、音声センサー２５は感度調整器２６といびきストッパー機能コントローラー２７を接続する。高低コントローラー２２は該制御バルブ２３に接続し、制御バルブ２３は空気進出パイプ２３１により枕１の気嚢１２と接続する。前記の無線受信機２１、高低コントローラー２２、制御バルブ２３、空気ポンプ２４、感度調整器２６といびきストッパー機能コントローラー２７は制御ボックス２８の中に設置する。該制御ボックス２８に枕用の高低位置指示ランプ２８１、いびきストッパー位置指示ランプ２８２及び電源スイッチ２８３を設置し、且つ制御ボックス２８に電源コード２９を設置することで、外部電源と接続して有線コントローラー２を使用することができる。更に前記の音声センサー２５を制御ボックス２８の外側に設置し、それを枕１の近くに置くことができる。
【００１８】
該無線コントローラー３に設置するのは、無線送信機３１及び無線送信機３１と接続する高低調整信号発生器３２、感度調整信号発生器３３及びいびきストッパー機能信号発生器３４である。本実施例の無線コントローラー３はスマート型携帯通信装置である。高低調整信号発生器３２は応用プログラムであり、無線コントローラー３のタッチディスプレイ３５にて表示する上げる３２１、下げる３２２の位置を制御する。感度調整信号発生器３３及びいびきストッパー機能信号発生器３４も同様応用プログラムであり、無線コントローラー３のタッチディスプレイ３５に表示する。
【００１９】
上記により、無線コントローラー３のユーザーが枕１を制御操作する際、まず応用プログラムを開ける。この時、無線コントローラー３の無線送信機３１はブルートゥースの無線伝送インターフェース或いは無線ローカルインターネットインターフェースを通じて、有線コントローラー２と接続する無線受信機２１を検索する。接続した後、タッチディスプレイ３５に高低調整信号発生器３２、感度調整信号発生器３３及びいびきストッパー機能信号発生器３４の相対する制御位置を表示する。この時、ユーザーは高低調整信号発生器３２の位置を上げる３２１、下げる３２２を制御するのは、タッチする方法で操作することができ、高低調整信号発生器３２に高低調整制御信号を発生させ、且つ無線の方法で有線コントローラー２の無線受信機２１に伝送する。無線受信機２１が高低調整制御信号を受信すると、制御バルブ２３に伝送し、制御バルブ２３は高低調整制御信号に基づき、空気ポンプ２４は空気進出パイプ２３１を通じて気嚢１２に空気を入れる、或いは制御バルブ２３が気嚢１２の空気を減らすことで、枕１本体１１の高低位置を調整する。更にユーザーはタッチディスプレイ３５に表示する感度調整信号発生器３３及びいびきストッパー機能信号発生器３４により、無線送信機３１を通じて感度調整信号及びいびきストッパー機能信号を無線受信機２１に発信する。同様に無線受信機２１が感度調整信号及びいびきストッパー機能信号を受信した後、信号に基づき音声センサー２５に対して感度調整して使用を開始する。それによりいびきストッパー機能コントローラー２７はいびきの音に基づき、自動的に制御バルブ２３は気嚢１２に対して、単独の空気入れ、空気出しのサイクルを行うことで、気管を確保し、呼吸をスムーズにすることでいびきを止める。
【００２０】
更に無線コントローラー３が応用プログラム２をあけて有線コントローラー２に接続した場合、無線コントローラー３のタッチディスプレイ３５に、無線コントローラー３と有線コントローラー２の連結をシャットダウン３６する位置と、プログラムをログアウト３７する位置を表示し、ユーザーは接続を中断及び応用プログラムをログアウトする時に使用する。
【００２１】
本考案が従来技術の不足と欠点を解決し、効果を上げる重要な技術ポイントは下記の通りである。
【００２２】
一、本考案は無線コントローラー３を利用し、無線の方法で制御信号を有線コントローラー２に伝送するため、ユーザーは遠距離で枕１の高低位置及び音声センサー２５を制御して使用を開始することができる。また、有線コントローラー２を枕１のユーザーに近づける必要がないため、電磁波の影響を下げ、且つ枕１のユーザーの睡眠を邪魔するのを避けることができることで、本考案は医療に使用するのに適している。
【００２３】
二、枕１のユーザーは睡眠時にいびきをかく場合、無線コントローラー３のユーザーは、音声センサー２５の感度について調節することができる。音声センサー２５の感度を適切な効果に達し、環境の音により不正常な作動を行うのを避けるほか、無線コントローラー３は有線コントローラー２に近づける必要がなく、枕１のユーザーを邪魔することなく、有利に枕１のユーザーの睡眠を助ける。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  枕
１１  本体
１２  気嚢
２  有線コントローラー
２１  無線受信機
２２  高低コントローラー
２３  制御バルブ
２３１  空気進出パイプ
２４  空気ポンプ
２５  音声センサー
２６  感度調整器
２７  いびきストッパー機能コントローラー
２８  制御ボックス
２８１  高低位置指示ランプ
２８２  いびきストッパー位置指示ランプ
２８３  電源スイッチ
２９  電源コード
３  無線コントローラー
３１  無線送信機
３２  高低調整信号発生器
３２１  上げる
３２２  下げる
３３  感度調整信号発生器
３４  いびきストッパー機能信号発生器
３５  タッチディスプレイ
３６  シャットダウン
３７  ログアウト
【図１】
0003202279.tif 000003
【図２】
0003202279.tif 000004
【図３】
0003202279.tif 000005